(57)【要約】【課題】  電力負荷の大きな記録処理、特に記録イメージの展開処理を他の端末装置で代行させることにより、ネットワーク接続された端末装置の消費電力を低減し、特に電池駆動の端末装置の駆動時間を増大させることができるようにする。【解決手段】  端末装置１（２）で所定の記録装置で出力可能な記録イメージの展開処理の必要が生じた場合、端末装置１（２）が自機の動作状態の判定、たとえば自機が電池駆動されているか否かの判定に応じて、自機で記録イメージの展開処理を行なう代りにネットワークを介して端末装置３（あるいは２）に展開処理の代行を依頼（ないし予約）する。端末装置１で複数の端末装置３（あるいは２）に展開処理を依頼できる場合は、過去の代行させた展開／記録処理に要した処理時間の短かい端末装置を選択する。展開処理の代行結果は依頼元の端末に通知する。【選択図】  図１
2006171921.tif 000002
【特許請求の範囲】
【請求項１】
第１の端末装置で所定の記録装置で出力可能な記録イメージの展開処理の必要が生じた場合、第１の端末装置が自機の動作状態の判定に応じて、自機で前記展開処理を行なう代りにネットワークを介して第２の端末装置に前記展開処理の代行を依頼することを特徴とする記録制御方法。
【請求項２】
請求項１に記載の記録制御方法において、前記第１の端末装置が行なう自機の動作状態の判定は、自機が電池により駆動されているか否かの判定であり、自機が電池により駆動されている場合に前記第２の端末装置に対して前記展開処理の代行を依頼することを特徴とする記録制御方法。
【請求項３】
請求項１に記載の記録制御方法において、前記第２の端末装置が前記展開処理を直ちに実行できない場合、前記第１の端末装置が前記第２の端末装置に対して前記展開処理を予約し、前記第２の端末装置が前記展開処理を実行できる状態となった際に予約された展開処理を実行することを特徴とする記録制御方法。
【請求項４】
請求項１に記載の記録制御方法において、ネットワーク上に前記第２の端末装置として動作可能な複数の端末装置が存在する場合、前記第１の端末装置が所定条件に応じて最適な端末装置を前記第２の端末装置として選択し、該第２の端末装置に前記展開処理の代行を依頼することを特徴とする記録制御方法。
【請求項５】
請求項４に記載の記録制御方法において、前記第１の端末装置が第２の端末装置から通知された前記展開処理ないしその記録イメージの記録に要する処理時間に基づき、ネットワーク上に前記第２の端末装置として動作可能な複数の端末装置が存在する場合、前記処理時間が短かい端末を前記第２の端末装置として選択し、該第２の端末装置に前記展開処理の代行を依頼することを特徴とする記録制御方法。
【請求項６】
請求項５に記載の記録制御方法において、前記第２の端末装置は、前記展開処理ないしその記録イメージの記録に要する処理時間を実際の処理前に所定方式に基づき算出し、前記第１の端末装置に通知することを特徴とする記録制御方法。
【請求項７】
請求項１に記載の記録制御方法において、前記第２の端末装置が前記展開処理の代行を行なった場合、該第２の端末装置から依頼元の第１の端末装置に対して該展開処理の実行結果を通知することを特徴とする記録制御方法。
【請求項８】
請求項１〜７のいずれか１項に記載の記録制御方法を実施すべく、前記第１または第２の端末装置として動作することを特徴とする端末装置。
【請求項９】
請求項１〜７のいずれか１項に記載の記録制御方法を実施すべく、前記第１または第２の端末装置の構成ハードウェアを制御することを特徴とする端末装置の制御プログラム。
【発明の詳細な説明】
【技術分野】
【０００１】
本発明は、ネットワーク記録システムにおける記録制御方法、端末装置、および端末装置の制御プログラムに関するものである。
【背景技術】
【０００２】
近年ブロードバンドインターネットや無線ＬＡＮ普及に伴い、電池で駆動する端末機器がネットワーク上に接続される環境が多く見られる。これに伴い、電池で駆動する端末機器の駆動時間に関心が集まるようになっており、現在ではこの種の機器の駆動時間の長時間化は商品価値を以前にも増して高めることにつながる。
【０００３】
この種の電池駆動の端末の駆動時間を伸ばす技術例として、一般にはマルチメディアなど高速で行なう必要のある処理は処理速度を上げ、そうでない処理は処理速度を落とすように、たとえばＣＰＵのクロックなどの駆動条件を変更することにより、電池の消費を軽減する手法が知られている。しかしながら、この手法は、電力負荷の大きいジョブを実行する必要がある場合、処理速度を落すとはいえそのジョブを該当の端末で実行することには変りなく、大きな消費電力軽減効果は望めず、また、処理速度を落とさなければならないから、ユーザの待ち時間がかえって大きくなる、という問題がある。
【０００４】
また、端末で行なわれる各種の処理には、印刷処理など電力負荷の大きいジョブが存在する。たとえば、プリンタに実際に記録イメージを送信する前の段階において実行しなければならないプリンタの記録イメージを作成する印刷データ生成処理では、ＪＰＥＧフォーマットからビットイメージへの展開、色処理、２値化など高速に処理を行わなければならず、消費電力が大きく、これにより電池駆動時間が短くなる。また、上記の印刷データ生成処理で作成される記録イメージはＪＰＥＧ等の元ファイルに比べデータ量が増大する。無線ＬＡＮなどで転送する時間が増えることによっても、消費電力が大きく、これにより電池駆動時間が短くなる。
【０００５】
したがって、電池駆動の端末がネットワークに接続されているのであれば、消費電力を軽減するために印刷処理など電力負荷の大きいジョブを他の端末に依頼してしまうのも有効であると考えられる。下記の特許文献１には、印刷の際、プリンタを制御するコンピュータに他のコンピュータから印刷依頼が行なわれた時、出力条件に適したプリンタを検索（たとえば緊急性の高い印刷では速度の速いプリンタを用いる）してそのプリンタに印刷を行なわせる技術が記載されている。
【特許文献１】特開平７−２８７６７９号公報
【発明の開示】
【発明が解決しようとする課題】
【０００６】
しかしながら、従来では、印刷データ生成処理自体はプリントを依頼する端末で実行することが前提となっており、この点は上記特許文献１などでも同様である。
【０００７】
したがって、従来技術では、ネットワーク経由で他の端末やプリンタに印刷を依頼する場合、いずれにしてもＪＰＥＧフォーマットからビットイメージへの展開、色処理、２値化などの電力負荷の大きな処理を印刷依頼を行なう端末で実行しなければならず、また、これによりデータ量が増大したデータをネットワークに送信しなければならず、印刷ジョブにより電池駆動の端末の電池駆動時間が短くなってしまう問題を解決することはできなかった。
【０００８】
本発明の課題は、上記の問題を解決し、電力負荷の大きな記録処理、特に記録イメージの展開処理を他の端末装置で代行させることにより、ネットワーク接続された端末装置の消費電力を低減し、特に電池駆動の端末装置の駆動時間を増大させることができるようにすることにある。
【課題を解決するための手段】
【０００９】
上記課題を解決するため、本発明では、ネットワーク記録システムにおける記録制御方法、端末装置、および端末装置の制御プログラムにおいて、第１の端末装置で所定の記録装置で出力可能な記録イメージの展開処理の必要が生じた場合、第１の端末装置が自機の動作状態の判定に応じて、自機で前記展開処理を行なう代りにネットワークを介して第２の端末装置に前記展開処理の代行を依頼する構成を採用した。
【００１０】
あるいはさらに、前記第１の端末装置が行なう自機の動作状態の判定は、自機が電池により駆動されているか否かの判定であり、自機が電池により駆動されている場合に前記第２の端末装置に対して前記展開処理の代行を依頼する構成を採用した。
【００１１】
あるいはさらに、前記第２の端末装置が前記展開処理を直ちに実行できない場合、前記第１の端末装置が前記第２の端末装置に対して前記展開処理を予約し、前記第２の端末装置が前記展開処理を実行できる状態となった際に予約された展開処理を実行する構成を採用した。
【００１２】
あるいはさらに、ネットワーク上に前記第２の端末装置として動作可能な複数の端末装置が存在する場合、前記第１の端末装置が所定条件に応じて最適な端末装置を前記第２の端末装置として選択し、該第２の端末装置に前記展開処理の代行を依頼する構成を採用した。
【００１３】
あるいはさらに、前記第１の端末装置が第２の端末装置から通知された前記展開処理ないしその記録イメージの記録に要する処理時間に基づき、ネットワーク上に前記第２の端末装置として動作可能な複数の端末装置が存在する場合、前記処理時間が短かい端末を前記第２の端末装置として選択し、該第２の端末装置に前記展開処理の代行を依頼する構成を採用した。
【００１４】
あるいはさらに、前記第２の端末装置が前記展開処理の代行を行なった場合、該第２の端末装置から依頼元の第１の端末装置に対して該展開処理の実行結果を通知する構成を採用した。
【発明の効果】
【００１５】
上記構成によれば、第１の端末装置で所定の記録装置で出力可能な記録イメージの展開処理の必要が生じた場合、第１の端末装置が自機の動作状態の判定に応じて、自機で前記展開処理を行なう代りにネットワークを介して第２の端末装置に前記展開処理の代行を実行させることができ、これにより、第１の端末装置の消費電力を低減させることができる。
【００１６】
特に、前記第１の端末装置が行なう自機の動作状態の判定は、自機が電池により駆動されているか否かの判定であり、自機が電池により駆動されている場合に前記第２の端末装置に対して前記展開処理の代行を依頼する構成を採用すれば、第１の端末装置が電池駆動である場合に、第１の端末装置の消費電力を低減し、電池駆動時間を長時間化することができる。
【００１７】
また、前記第２の端末装置が前記展開処理を直ちに実行できない場合、前記第１の端末装置が前記第２の端末装置に対して前記展開処理を予約できるようにすることにより、第１の端末装置で展開処理の代行依頼をあきらめる必要がなく、第２の端末装置に過大な負荷を与えることなく、効率的に記録イメージの展開処理を行なうことができる。
【００１８】
また、ネットワーク上に前記第２の端末装置として動作可能な複数の端末装置が存在する場合、所定条件に応じて最適な端末装置を前記第２の端末装置として選択できるようにすれば、より好ましい条件、たとえば高速な端末装置を第２の端末装置として選択でき、効率的な記録イメージの展開処理を行なうことができる。
【００１９】
その場合、前記第１の端末装置が第２の端末装置から通知された前記展開処理ないしその記録イメージの記録に要する処理時間に基づき、ネットワーク上に前記第２の端末装置として動作可能な複数の端末装置が存在する場合、前記処理時間が短かい端末を前記第２の端末装置として選択するように構成することにより、高速な端末装置を第２の端末装置として選択でき、効率的な記録イメージの展開処理を行なうことができる。
【００２０】
特に、前記第２の端末装置は、前記展開処理ないしその記録イメージの記録に要する処理時間を実際の処理前に所定方式に基づき算出し、前記第１の端末装置に通知する構成を用いることにより、第１の端末装置では記録処理時間データベースの管理などの処理を行なわなくても現状で計算され、通知された記録処理時間に応じて依頼先の端末を選択することができる。
【００２１】
また第２の端末装置が展開処理の代行を行なった場合、該第２の端末装置から依頼元の第１の端末装置に対して該展開処理の実行結果を通知するよう構成することにより、第１の端末装置は展開処理の結果を知ることができ、展開処理ないしこれに基づく記録処理の結果を確実に判断することができる。
【発明を実施するための最良の形態】
【００２２】
以下、ネットワーク接続が可能で、所定の記憶装置を用いた記録処理を行なう端末装置を含むネットワーク記録システムにおける実施例を示す。
【実施例１】
【００２３】
図１は本発明を実施可能なネットワーク環境を示している。図１において符号１、２、３は端末装置であってそれぞれ、端末装置１、２は無線ＬＡＮのアクセスポイント６を介して、また端末装置３は直接、ＬＡＮ７に接続されており、これらの端末装置同士でネットワーク経由でデータを交換することができる。
【００２４】
符号４、および５はプリンタで、それぞれの前記端末装置からの指示にしたがって記録を行なうことができる。また、端末装置１および２は電池またはＡＣ（商用交流）で駆動可能であり、本実施例では端末装置１は電池で、端末装置２はＡＣで駆動されるものとする。また、端末装置３はＡＣのみで駆動可能な端末装置である。
【００２５】
図２は端末装置１および２の構成を示している。図２において符号２１はＣＰＵで、記憶装置２２のたとえばＨＤＤやＲＯＭから構成された記憶領域に記憶された処理プログラムに基づき本端末装置を集中的にコントロールする。符号２３は入力装置で、ユーザからの指示やドキュメントの入力などの情報をＣＰＵ２１に伝達する。
【００２６】
符号２４は表示器で、ユーザに対してメッセージやドキュメントなどＣＰＵ２１からの情報を表示する。
【００２７】
符号２５はネットワーク接続装置で、情報をネットワークに接続された他の機器に対して送受信する。
【００２８】
符号２６はＡＣアダプタで、ＡＣをＤＣに変換し、変換したＤＣ出力をＤＣ電源装置２８に供給する。符号２７は電池で、ＤＣ出力をＤＣ電源装置２８に供給する。ＤＣ電源装置２８は、ＡＣアダプタ２６が接続されている場合はＡＣアダプタを駆動電源として、ＡＣアダプタ２６が接続されていない場合は電池２７を駆動電源として用いる。また、ＡＣ検出装置２９はＤＣ電源装置２８の状態を監視して、ＡＣアダプタで駆動しているか、または電池で駆動しているのかの情報をＣＰＵに伝達する。
【００２９】
図３は端末装置３の構成を示している。図３において符号３１はＣＰＵで、記憶装置３２のたとえばＨＤＤやＲＯＭから構成された記憶領域に記憶された処理プログラムに基づき本端末装置を集中的にコントロールする。
【００３０】
符号３３は入力装置で、ユーザからの指示やドキュメントの入力などの情報をＣＰＵ３１に伝達する。
【００３１】
符号３４は表示器で、ユーザに対してメッセージやドキュメントなどＣＰＵ３１からの情報を表示する。
【００３２】
符号３５はネットワーク接続装置で、情報をネットワークに接続された他の機器に対して送受信する。
【００３３】
符号３６はＡＣ電源装置であってＡＣをＤＣに変換し本端末装置の駆動電源を発生させる。
【００３４】
図４は端末装置１および２の記憶装置２２（そのＨＤＤやＲＯＭ領域）に格納された記録処理プログラムの流れを示している。図示のプログラムは、たとえば記憶装置２２に格納しておき、ＣＰＵ２１により実行される。
【００３５】
本プログラムが起動されると、ステップＳ４１において、ドキュメントをどのように記録するかの記録設定をユーザの指示にしたがって行なう。この記録設定操作では、たとえば、使用するプリンタあるいはプリンタサーバとして動作する端末装置（たとえば３）、記録品位、使用フォントの決定方法、用紙の向き、サイズ、排紙方向、２ｉｎ１などの特殊なフォーマットを用いるか、などをユーザが指定する。このためのユーザーインターフェースは、公知のプリンタドライバのＧＵＩなどで用いられているダイアログ形式のものを用いることができる。ステップＳ４２では、ユーザにより記録の実行が指示される。
【００３６】
ステップＳ４３ではＡＣ検出装置２９の検出状態により、自機が電池で駆動されているか否かを確認する。自機が電池で駆動されている場合はステップＳ５２へ進み、そうでない場合にはステップＳ４４へ進む。
【００３７】
ステップＳ４４以下では、自機が電池駆動でない場合に自機で記録イメージの展開を含む記録処理を行なう。
【００３８】
まず、ステップＳ４４でネットワーク７に接続されている複数のプリンタを決定する処理を行なう。このプリンタ決定処理では、たとえばステップＳ４１の記録設定処理でユーザが指定したプリンタを選択するか、ユーザ指定が行なわれていない場合には所定条件に応じて記録に用いるべき最適なプリンタを決定する。この条件としてはたとえば、端末装置から近い設置場所にあるプリンタを優先するようなものが考えられる。あるいは、プリンタが他の記録を行ったり、何らかの障害が発生している場合は別のプリンタが記録可能であればそのプリンタを選択する。
【００３９】
ステップＳ４５では、プリンタのフォーマットに従った記録イメージを作成し、ステップＳ４６で作成した記録イメージをネットワーク７を介してプリンタに転送する。
【００４０】
ステップＳ４７では、プリンタ（あるいはプリンタサーバの端末）から記録結果を取得し、その結果をステップＳ４８で判定し、記録結果が正常である場合はステップＳ４９へ進み、そうでない場合にはステップＳ５１の異常終了ということで本プログラムを終了する。ステップＳ４９ではすべての記録イメージを転送したか否かを判断し、すべてが転送されていない場合にはステップＳ４６に戻り記録イメージの転送から処理を繰り返す。また、記録終了の場合にはステップＳ４９からステップＳ５０へ進み、本処理を終了する。
【００４１】
一方、ステップＳ５２以降はステップＳ４３で自機が電池駆動であることを検出した場合の処理で、この場合、まずステップＳ５２で代行記録可能な端末装置を検出する処理を行なう。
【００４２】
本実施例の代行記録とは、所定のプリンタで記録可能な記録イメージを展開する処理と、実際にプリンタで記録イメージを記録させる処理の両方を指す。ステップＳ５２では、ネットワーク７にあらかじめフォーマットを定めた問い合せパケットなどをブロードキャストし、本実施例による代行記録が可能な端末からの応答を収集することなどにより代行記録可能な端末装置の検出を行なう。
【００４３】
ステップＳ５３では代行記録可能な端末装置の検出結果を判定するが、ここで代行可能な端末装置が見つからない場合にはステップＳ４４へ進み、上記の自機で記録イメージを作成する処理へ進む。
【００４４】
また、ステップＳ５３で代行可能な端末装置が見つかった場合はステップＳ５４で代行依頼する端末装置を決定する。ここで複数の代行可能な端末が存在した場合は、所定条件に応じて代行依頼する端末装置を決定するが、本実施例では後述のようにして、代行依頼先の端末から通知される記録処理時間が短かい高速な端末を選択する。
【００４５】
なお、後述の例では実測値ではなく、理論値あるいは計算値として算出した記録処理時間が通知されるので、記録処理時間データベースの管理などの処理を行なわなくても現状で計算され、通知された記録処理時間に応じて依頼先の端末を選択することができる。
【００４６】
また、代行記録可能な端末装置が検出できた場合でも、代行記録可能と検出された端末装置が他の処理を実行中でビジー状態（後述のステップＳ７４のようにして検出される）である可能性もある。
【００４７】
そこでステップＳ５５では、代行記録可能と検出された端末装置が他の処理を実行中であるなどの理由でビジー状態にあるか否かを検出し、ビジーであればステップＳ５６へ進みビジーでなければステップＳ５７へ進む。
【００４８】
対象の端末がビジーである場合はステップＳ５６で、ユーザの指示により代行記録を予約するか否かを判定する。ここでユーザは代行記録を予約するか否かを所定ユーザーインターフェースを介して入力する。たとえば、このとき、上記の過去の記録処理時間の短かい順に代行記録可能な端末をリストし、そのリストで上位にある対象の端末がビジーであればその端末の代行記録を予約したり、あるいはこれをキャンセルして次位の端末を選択できるようする、など、この部分でのユーザーインターフェースには種々の実施態様が考えられる。
【００４９】
予約も行なわずに代行記録をあきらめる場合はステップＳ５６から上記のステップＳ４４へ進み、自機で記録イメージを作成する処理へ進む。
【００５０】
ステップＳ５７ではステップＳ４４と同様にしてプリンタを決定する。続いてステップＳ５８でドキュメントと記録設定データを代行記録を依頼する端末装置に送信し、ステップＳ５９で代行記録を依頼した端末装置もしくはプリンタから直接、記録結果を取得する。記録結果はステップＳ６０で判定され、取得された結果が正常であればステップＳ６０からステップＳ６１へ進み本プログラムを正常終了する。そうでない場合にはステップＳ６２で異常終了する。
【００５１】
図５は端末装置１、２および３の記憶装置２２ないし３２に格納された代行記録処理プログラムの流れを示したフローチャートである。この代行記録処理プログラムは、上記の代行記録を依頼された側の端末のＣＰＵ２１ないし３１で実行されるものであるが、端末装置１および２のように電池で駆動されている場合（あるいは期間）は、本処理は実行されずに代行不可能となるものとする。
【００５２】
ステップＳ７１では、上記のステップＳ５８において記録代行を依頼した端末から送信されたドキュメントの属性（あるいは本実施例の代行記録を実施できるか否かの問い合せパケット）などを解析する処理で、ステップＳ７２にて本実施例の代行記録が可能である場合はステップＳ７５へ進み、そうでない場合はステップＳ７３で記録代行が不可能であることを依頼端末に通知して本処理を終了する。
【００５３】
代行記録が可能である場合にはステップＳ７４にてビジーであるか否かを検出（他の処理を実行中であるか否かを検出するか、また、並行処理を実行可能な装置ではたとえば過負荷状態であるか否かなどにより判定すればよい）し、ビジーでない場合はステップＳ７８へ進み、ビジーの場合にはステップＳ７５に進み、その旨を依頼端末に通知する。
【００５４】
ビジー通知を行なった場合は上記のように依頼端末から代行記録の予約を受ける可能性があるので、ステップＳ７６では依頼端末からの指示により代行処理の予約があったか否かを判定し、代行処理を予約しない場合は本処理を終了する。また、依頼端末から代行記録の予約があった場合には、ステップＳ７７へ進みビジー状態が解除されるまで待機する。ここでビジー状態が解除された場合ステップＳ８１へ進む。
【００５５】
一方、ステップＳ７４でビジーが検出されていない場合はステップＳ７８において、代行した場合に費やされる記録時間を計算する。ステップＳ７９にて計算した記録時間を通知する。本実施例ではこのように実際の記録前に理論値あるいは計算値として記録時間を算出し、依頼元の端末に通知するようにしているので、依頼元の端末では記録処理時間データベースの管理などの処理を行なわなくても現状で計算され、通知された記録処理時間に応じて端末を選択することができる。
【００５６】
ステップＳ８０では、依頼元の端末の指示により代行記録を行なうか否か判断し、代行記録を行なう場合はステップＳ８１へ進み、代行記録を行なわない場合には本プログラムを終了する。
【００５７】
ステップＳ８１では、依頼端末からドキュメントおよび記録の設定を受信する。ステップＳ８２では受信したドキュメントおよび記録の設定にしたがって記録イメージを代行して作成し記録する。ステップＳ８３では記録が正常に終了したか否かを判別し、正常終了の場合、ステップＳ８４にて正常終了したことを、そうでない場合ステップＳ８５にて異常終了したことを依頼端末に通知する。これらステップＳ８４、ステップＳ８５が終了すると本プログラムを終了する。このように代行記録の結果を通知することにより、依頼元の端末装置は展開処理の結果を知ることができ、展開処理ないしこれに基づく記録処理の結果を確実に判断することができる。
【００５８】
以上のように本実施例によれば、端末装置１は自機が電池により駆動されている場合に端末装置３（あるいは２）に対して代行記録、すなわち記録イメージ展開処理あるいはさらにその記録処理の代行を依頼するよう構成されているので、端末装置１の消費電力を低減し、端末装置１の電池駆動時間を長時間化することができる。
【００５９】
また、複数の端末装置がいずれも代行記録可能な場合には記録時間の短い端末に依頼することができ、これにより効率的な記録処理が可能となる。また、本実施例では、代行依頼先の端末装置のビジー状態に応じて、代行記録を予約する、あるいは他の端末装置に代行記録を依頼するなど、ユーザ選択の範囲が広い利点がある。
【００６０】
なお、以上では端末装置が記録イメージの展開を行なう旨説明したが、プリンタがＰＤＬを受信して記録イメージへの展開が可能である場合などにおいては、本実施例で説明した同じ代行記録の依頼ないし予約プロトコルを用いて、直接、記録イメージの作成およびその記録出力を依頼することも可能である。
【００６１】
また、複数の端末装置が代行記録可能な場合には、依頼元の端末の最も近傍にある端末装置（あるいはプリンタ）を代行記録依頼先の端末として選択することもできる。
【産業上の利用可能性】
【００６２】
本発明はネットワーク接続が可能で、所定の記録装置を用いた記録処理を行なう端末装置を含むネットワーク記録システムにおいて実施することができる。本発明の制御プログラムは、端末装置のＨＤＤやＲＯＭから構成された記憶領域にあらかじめ格納しておく他、種々の外部記憶媒体（ＣＤＲＯＭ、フレキシブルディスクなど）からこれらの装置に供給することができ、あるいは任意のサーバからネットワーク経由で供給することもできる。
【図面の簡単な説明】
【００６３】
【図１】本発明を実施可能なネットワーク環境を示した説明図である。
【図２】図１の端末装置１、２の構成を示したブロック図である。
【図３】図１の端末装置３の構成を示したブロック図である。
【図４】図１の端末装置１、２の記録処理プログラムの流れを示したフローチャートである。
【図５】図１の端末装置１、２、あるいは３の代行記録処理プログラムの流れを示したフローチャートである。
【符号の説明】
【００６４】
１〜３  端末装置
４、５  プリンタ
６  アクセスポイント
７  ネットワーク
２１  ＣＰＵ
２２  記憶装置
２３  入力装置
２４  表示器
２５  ネットワーク接続装置
２６  ＡＣアダプタ
２７  電池
２８  ＤＣ電源装置
２９  ＡＣ検出装置
３１  ＣＰＵ
３２  記憶装置
３３  入力装置
３４  表示器
３５  ネットワーク接続装置
３６  ＡＣ電源装置
【図１】
2006171921.tif 000003
【図２】
2006171921.tif 000004
【図３】
2006171921.tif 000005
【図４】
2006171921.tif 000006
【図５】
2006171921.tif 000007